(57)【要約】【課題】本発明は、予め掲載しなければならない事が確定している掲載内容データである確定掲載内容データが存在する場合において、自動的に確定掲載内容データを掲載した場合はどれくらい何頁になり、かつ、各頁にはどの確定掲載内容データが割付けられるのかを計算し、台割表を作成するシステムを提供することを目的とする。【解決手段】入力手段と、確定掲載内容記憶部と、掲載内容記憶部と、属性情報と、確定掲載内容データのレイアウト情報と、割付情報記憶部と、確定掲載内容データと、確定掲載内容表作成手段と、レイアウト情報と掲載内容に基づいて確定掲載内容表を修正し台割表を作成する台割表作成手段と、出力手段と、を有する台割表作成システムである。【選択図】    図１
2005339096.tif 000002
【特許請求の範囲】
【請求項１】
各折丁ごとに属性及び各頁の掲載内容を表の形式で表現した台割表を作成する台割表作成システムにおいて、
入力手段と、
予め掲載することが確定している確定掲載内容データを記憶する確定掲載内容記憶部と、
確定掲載内容データ以外の掲載内容データを記憶する掲載内容記憶部と、
頁数情報、印刷方法、色数、用紙等の属性を示す属性情報と、確定掲載内容データのレイアウト情報と、掲載内容データのレイアウト情報を記憶する割付情報記憶部と、
前記確定掲載内容記憶部に記憶されている確定掲載内容データと、割付情報記憶部に記憶されている確定掲載内容データのレイアウト情報に基づいて確定掲載内容データの配置を表の形式で表現した確定掲載内容表を作成する確定掲載内容表作成手段と、
割付情報記憶部に記憶されている属性情報と掲載内容データのレイアウト情報と、掲載内容記憶部に記憶された掲載内容に基づいて、確定掲載内容台割表作成手段によって作成された確定掲載内容表を修正し、台割表を作成する台割表作成手段と、
確定掲載内容表、及び、台割表を画面や紙などに出力する出力手段と、
を有することを特徴とする台割表作成システム。
【請求項２】
前記確定掲載内容表作成手段は、
レイアウト情報に基づいて、確定掲載内容データの先頭から順に、頁内に割付を行う割付開始機能と、
割付の結果、行あふれが生じた場合に自動的に改行を行う自動改行機能と、
改行後から再び順に割付をする割付機能と、
を有することを特徴とする請求項１記載の台割表作成システム。
【請求項３】
請求項２記載の台割表作成システムにおいて、
自動改行機能が、確定掲載内容データの内容的切れ目を考慮して改行位置を決定することを特徴とする台割表作成システム。
【請求項４】
請求項２または３記載の台割表作成システムにおいて、
自動改行機能による改行位置を、入力手段を介して修正可能なことを特徴とする台割表作成システム。
【請求項５】
請求項２から４何れか記載の作成システムにおいて、
１頁内に複数列掲載可能な確定掲載内容データについては、列毎に自動改行機能が機能することを特徴とする台割表作成システム。
【請求項６】
請求項２から５何れか記載の台割表作成システムにおいて、
確定掲載内容データが先頭にヘッダを割付するものである場合に、データの改行が改頁を伴う改行の場合は改行後の確定掲載内容データの先頭にヘッダの複製を割付するとともに、確定掲載内容データの改行が改頁を伴わない改行の場合は改行後の確定掲載内容データの先頭にヘッダの複製を割付しないこと特徴とする台割表作成システム。
【請求項７】
請求項２から６何れか記載の台割表作成システムにおいて、
確定掲載内容データの割付位置を相対的に移動する機能を有すること特徴とする台割表作成システム。
【請求項８】
請求項１から７何れか記載の台割表作成システムにおいて、
作成された確定掲載内容表に基づいて確定掲載内容データーが割付られた割付結果、及
び、台割表に基づいて確定掲載内容データと掲載内容データが割り付けられた割付結果を表示もしくは印刷する機能を有するものであること特徴とする台割表作成システム。
【請求項９】
確定掲載内容データ、及び、掲載内容データを編集した場合、その編集結果が台割表に反映されることを特徴とする請求項１から８何れか記載の台割表作成システム。
【請求項１０】
請求項１から９何れか記載の台割表作成システムにおいて作成された台割表と
台割表に基づいて掲載内容データと確定掲載内容データの組版を行うことを特徴とする組版情報作成システム。
【請求項１１】
請求項１０記載の割付情報作成システムにおいて、
確定掲載内容データが先頭にヘッダを組版するものである場合に、データの改行が改頁を伴う改行の場合にデータ継続表示をするとともに、データの改行が改頁を伴わない改行の場合はデータ継続表示をしないこと特徴とする組版情報作成システム。
【発明の詳細な説明】
【技術分野】
【０００１】
本発明は、各折丁ごとに各頁の掲載内容の表示をした表である台割表を作成する台割表作成システムに関し、特に掲載内容のうち、当初から掲載することが確定している掲載内容が存在する冊子体（例えば本、書籍、雑誌、パンフレット、カタログ、小冊子体などがあるが、これに限定しない）の台割表を作成するシステムに関する。
【背景技術】
【０００２】
従来より、冊子体を作るには、台割表というものが作成される。
ここで台割表とは、一つの冊子体の全体の概要を平面的に表しているものであり、一目でその冊子体の全体の構成、すなわち、各頁がどのような記事になるのか、各折丁はどのような印刷方式によって印刷されるのか、ということがわかるように示された表である。
【０００３】
そして、台割表は、冊子体を作る際に最初に行われる企画会議で作成される。つまり、雑誌等の冊子体を作る際には、企画会議がもたれ、この企画会議では、関係者が集まり、予算や編集方針や掲載内容や印刷方式や企画テーマ等が話し合われる。そして、ここで決まった編集方針や掲載内容や印刷方式や企画テーマ等を、頁ごと、もしくは、折丁ごとに記入して、台割表を作成してゆくのである。このようにして、台割表が作成されると、台割表に記入された掲載内容や企画テーマに沿って取材が始まり、具体的に頁に掲載する掲載内容データを作成してゆくのである。
【０００４】
しかし、近年、台割表を作成する前に、頁に掲載することが確定している掲載内容データが存在する冊子体がある。例えば、ゲームのコード表をまとめた本等では、台割表を作成する前に、予め掲載することが決まっている掲載内容データ（以下、予め掲載することが決まっている掲載データを「確定掲載内容データ」と称す）であるゲームのコードが存在する。よって、このような本を出版する際は、確定掲載内容データが、実際の本の何ページから何ページに掲載されるのかをシュミレーションしながら台割表を作成してゆくという作業が生じる。
【０００５】
すなわち、一般的な冊子体では、まず台割表を作成し、どの頁に何を掲載するのかを決めてから、その頁に掲載する掲載内容データを作成してゆく。しかし、確定掲載内容データが存在する場合では、例えば、台割表を作成して、確定掲載内容データを、ある頁からある頁までに掲載しようと決めたとしても、確定掲載内容データの量によっては、台割表に定められた頁だけでは掲載しきれなくなるという場合が生じてしまう。よって、確定掲載内容データが存在する場合では、確定掲載内容データが何頁分になるのかを、あらかじめ計算しなければならないという作業が生じるという問題を有していた。
【０００６】
更に、冊子体は、紙に印刷をし、印刷された紙を折った折丁を複数合わせることによって形成されるため、頁数は、冊子体の大きさや折丁の数によって定まるようになっている。よって、確定掲載内容データが何頁分になり、確定掲載内容データ以外の掲載内容データを掲載できる頁が何頁存在するのかを把握しなければ、確定掲載内容以外の掲載内容データをどれくらい容易すればよいのかということがわからなくなり、その結果、掲載内容データが不足し、白紙が存在する冊子体が出来上がってしまうという問題も有している。
【０００７】
しかし、確定掲載内容データが何頁にわたるのかをあらかじめ計算するには、確定掲載内容データを、実際に販売された本に掲載される時と同じレイアウトに、割付けてゆくという作業をしなければ、確定掲載内容データが何頁分になるのかを把握する事ができないため、時間とコストがかかっていた。よって、台割表を作成する前に、確定掲載内容デー
タが存在する場合、確定掲載内容データがどれくらいの頁に渡るのかをあらかじめ計算して、台割表を作成する事を支援してくれる支援システムが望まれていた。
【０００８】
ここで、台割表の作成支援システムとして、特許文献１には、これまでの紙ベースの台割表から高度な処理が可能な電子データの表を作成するシステムの提案がなされている。しかし、特許文献１のシステムでは、企画会議によってどの頁に何を掲載するのかが決まった後に作成する台割表を用いたシステムであって、予め掲載することが確定している確定掲載内容データが何ページに渡るのかを計算してくれるものではない。
【０００９】
特許文献は以下の通り。
【特許文献１】特開平６−３２８８７８号公報
【発明の開示】
【発明が解決しようとする課題】
【００１０】
本発明は、このような問題を解決するためになされたものであり、予め掲載しなければならない事が確定している掲載内容データである確定掲載内容データが存在する場合において、自動的に確定掲載内容データを掲載した場合はどれくらい何頁になり、かつ、各頁にはどの確定掲載内容データが割付けられるのかを計算し、台割表を作成するシステムを開示することを目的とする。
【課題を解決するための手段】
【００１１】
上記の目的を達成するために、請求項１記載の発明は、各折丁ごとに属性及び各頁の掲載内容を表の形式で表現した台割表を作成する台割表作成システムにおいて、入力手段と、予め掲載することが確定している確定掲載内容データを記憶する確定掲載内容記憶部と、確定掲載内容データ以外の掲載内容データを記憶する掲載内容記憶部と、頁数、印刷方法、色数、用紙等の属性を示す属性情報と、確定掲載内容データのレイアウト情報と、掲載内容データのレイアウト情報を記憶する割付情報記憶部と、前記確定掲載内容記憶部に記憶されている確定掲載内容データと、割付情報記憶部に記憶されている確定掲載内容データのレイアウト情報に基づいて確定掲載内容データの配置を表の形式で表現した確定掲載内容表を作成する確定掲載内容表作成手段と、割付情報記憶部に記憶されている属性情報と掲載内容データのレイアウト情報と、掲載内容記憶部に記憶された掲載内容に基づいて、確定掲載内容台割表作成手段によって作成された確定掲載内容表を修正し、台割表を作成する台割表作成手段と、確定掲載内容表、及び、台割表を画面や紙などに出力する出力手段と、を有することを特徴とする台割表作成システムである。
【００１２】
ここで、台割表とは、一つの冊子体の全体の概要を平面的に表しているものであり、一目でその冊子体の全体の構成、すなわち、各頁がどのような記事になるのか、各折丁はどのような印刷方式によって印刷されるのか、ということがわかるように示された表であれば、いずれのものも台割表に相当し、例えば、頁割進行表、頁割予定表、編集進行表なども台割表に含まれる。
【００１３】
また、この台割表は必ずしも紙でできている表に限られず、電子的な表でも構わないものである。さらに、その形式も様々であり、縦形式、横形式、横展開方式など各種の表形式があり、また、その表示内容も掲載内容の表示だけのものだけではなく、頁数情報、印刷方法、色数、用紙、その他の属性情報を示すものなど各種ある。ここで属性情報とは、台割表に掲載内容を割付するに際して、レイアウト面から必要な各種情報のことであり、頁数情報、印刷方法、色数、用紙に限らず、各種の情報を含むものであっても構わない。
【００１４】
この場合の属性情報は、折丁単位で示されるのが一般的であるが、本願発明の様に掲載
情報の長さが不定で、それにより折丁の数の増減が必要な場合は、その同一の性質の掲載情報を持つ複数もしくは不定数丁の折丁を以て属性情報の表示単位とすることもある。さらに、頁数情報は、その属性情報が属する頁数であるのが一般的であるが、本願発明の様に掲載情報の長さが不定で、それにより折丁の数の増減が必要な場合は、基本となる頁数と追加単位となる頁数を示す様な頁数情報であっても良い。
【００１５】
さらに、この台割表で表示されている掲載内容の内容は、その掲載内容の題名の場合や、掲載内容自体、掲載内容の縮小画像などその冊子体の種類や内容により各種のものが存在する。
【００１６】
また確定掲載内容データとは、掲載内容データのうち頁数などで代表される頁数情報や折丁の数の設定よりも掲載内容データ全てが掲載されることが優先される掲載内容データのことであり、ゲームのコード表に限定するわけでは無く、例えば、広告、コード表、プログラム、及び、コマンドリストなど、記事、表、絵、及び、図など各種のものがある。
【００１７】
またレイアウト情報とは、１頁内にどのように確定掲載内容データを割り付けるかを指定する情報であり、例えば、頁の余白、段落の数、行の数、列の数等のものである。
【００１８】
また、請求項２記載の発明は、前記確定掲載内容表作成手段は、レイアウト情報に基づいて、確定掲載内容データの先頭から順に、頁内に割付を行う割付開始機能と、割付の結果、行あふれが生じた場合に自動的に改行を行う自動改行機能と、改行後から再び順に割付をする割付機能と、を有することを特徴とする請求項１記載の台割表作成システムである。
【００１９】
この行は、掲載内容の量が多い場合に、この掲載内容を分割して掲載する必要があるが、この掲載内容を分割することが可能な分割基準の事をさす。
【００２０】
なお、掲載内容が縦長の様なもので１頁内に複数の列として割付可能な場合も考えられるが、この場合には列ごとに自動改行機能を持つものでも良い。
【００２１】
また、請求項３記載の発明は、請求項２記載の台割表作成システムにおいて、自動改行機能が、確定掲載内容データの内容的切れ目を考慮して改行位置を決定することを特徴とする台割表作成システムである。
【００２２】
内容的切れ目とは、確定掲載内容に行が多数ある場合に、その行を改行した場合に意味的・内容的・形式的な各種のつながりに濃淡がある場合に、改行位置を調整可能な範囲内の中で最も行と行との内容的つながりの薄い場所を指す。
【００２３】
また、請求項４記載の発明は、請求項２または３記載の台割表作成システムにおいて、自動改行機能による改行位置を、入力手段を介して修正可能なことを特徴とする台割表作成システムである。
【００２４】
自動改行機能による自動改行位置に対して、改行位置を追加、変更、削除する機能を修正できる機能を総称して修正可能と表現している。なお、修正可能なのはデータの先頭から順に割付を行うに際して改行位置を確認しながらそのままとするか修正するかの作業を行う様に、最初に順に行う場合に可能であっても、全ての改行位置を一旦自動で付与して、事後的に修正可能とするものでも構わない。
【００２５】
また、請求項５記載の発明は、請求項２から４何れか記載の作成システムにおいて、１頁内に複数列掲載可能な確定掲載内容データについては、列毎に自動改行機能が機能する
ことを特徴とする台割表作成システムである。
【００２６】
この場合、全ての確定掲載内容が１頁に複数列掲載可能である場合だけではなく、１頁に１列しか掲載可能でない種類の掲載内容も含むものである場合や、確定掲載内容に１頁に掲載可能な列の数が違う種類の物が混合している場合などを含む。この様な場合、１頁内に種類の違う確定掲載内容を複数割り付ける必要がある場合もあるが、その様な場合には、所望する改行位置が頁の下端ではないことが起こりうるので、その場合の改行を含む。
【００２７】
また、請求項６記載の発明は、請求項２から５何れか記載の台割表作成システムにおいて、確定掲載内容データが先頭にヘッダを割付するものである場合に、データの改行が改頁を伴う改行の場合は改行後の確定掲載内容データの先頭にヘッダの複製を割付するとともに、確定掲載内容データの改行が改頁を伴わない改行の場合は改行後の確定掲載内容データの先頭にヘッダの複製を割付しないこと特徴とする台割表作成システムである。
【００２８】
この場合のヘッダとは、確定掲載内容データが本文とヘッダ、もしくはその他の情報、例えば注釈などとからなり、このうちヘッダがなければ本文の内容が理解できない、もしくは理解しずらいもので、表題や題号などの各種情報のものである。
【００２９】
また、請求項７記載の発明は、請求項２から６何れか記載の台割表作成システムにおいて、確定掲載内容データの割付位置を相対的に移動する機能を有すること特徴とする台割表作成システムである。
【００３０】
確定掲載内容データが、掲載内容がすべて掲載されることが重要であり、その確定掲載内容データがどの折丁、もしくはどの頁に掲載されるかは重要でない場合に、確定掲載内容データの割付位置のみを変更することを相対的に移動する機能と称する。この場合、頁単位での移動の他、頁内での移動を含むものであるが、この場合は改行位置や改頁位置を変更する必要がある。この新たな改行についても、自動改行機能を用いたり、修正可能であったりすることが可能である。
【００３１】
また、請求項８記載の発明は、請求項１から７何れか記載の台割表作成システムにおいて、作成された確定掲載内容表に基づいて確定掲載内容データーが割付られた割付結果、及び、台割表に基づいて確定掲載内容データと掲載内容データが割り付けられた割付結果を表示もしくは印刷する機能を有するものであること特徴とする台割表作成システムである。
【００３２】
この場合は、台割表が電子データとなっている場合であり、しかもこの台割表と掲載内容データとのデータリンクがとれている場合である。この場合、ディスプレイ上に表示、もしくは印刷するものであるが、製版時の大きさのものであると、縮小して表示や印刷するものと、各種指示や表示が付け加えられているものとを問うものではなく、用途も校正用、製版指示用、印刷指示用その他それを限定するものではない。
【００３３】
また、請求項９記載の発明は、確定掲載内容データ、及び、掲載内容データを編集した場合、その編集結果が台割表に反映されることを特徴とする請求項１から８何れか記載の台割表作成システムである。
【００３４】
この場合、編集の対象となるのは、確定掲載内容データであるが、と、確定掲載内容割付機能で割付されていない部分の掲載内容であるとを問わない。しかし、ここで確定掲載内容データを含めることで、完成目前の台割表となっている段階でも、大幅な修正でなければ確定掲載内容データであってもその掲載内容を修正できるので、実際のシステムとし
ての相違点は大きい。
【００３５】
また、請求項１０記載の発明は、請求項１から９何れか記載の台割表作成システムにおいて作成された台割表と台割表に基づいて掲載内容データと確定掲載内容データの割付けを行うことを特徴とする割付情報作成システムである。
【００３６】
この場合は、台割表が電子データとなっている場合であり、しかもこの台割表と割付済みの掲載内容とのデータリンクがとれている場合である。この場合、単に組版した結果を出力する場合のみならず、フィルム出力や直接製版、場合によってはダイレクト印刷するデータとなるものであっても構わない。
【００３７】
また、請求項１１記載の発明は、請求項１０記載の割付情報作成システムにおいて、確定掲載内容データが先頭にヘッダを割付するものである場合に、データの改行が改頁を伴う改行の場合にデータ継続表示をするとともに、データの改行が改頁を伴わない改行の場合はデータ継続表示をしないこと特徴とする組版情報作成システムである。
【００３８】
この場合のデータ継続表示とは、例えば頁末の「続く」、頁頭の「つづき」や、指さし表示などの絵柄表示など、各種の表示を含む。
【発明の効果】
【００３９】
本発明によれば、掲載確定内容のデータ量や数などが多い冊子体の台割表作成の場合においても、容易に台割表の作成や修正を容易に行うことのできる台割表作成システム、およびこの台割表に基づき適切な組版が得られる組版情報作成システムを提供することができる。
【発明を実施するための最良の形態】
【００４０】
以下に、本発明の１実施例としての最良の実施形態について図面を参照して説明する。
【００４１】
図１は、本発明の一実施例に係る台割表作成システムの基本構成を示すブロック図である。このシステムは、大きく分けて、印刷会社用システム１００と、出版社用システム２００と、によって構成されている。印刷会社用システム１００は、統括コンピュータ１０、記憶装置２０、操作用コンピュータ３０、管理用コンピュータ４０、によって構成されており、出版社用システム２００は、操作用コンピュータ５０によって構成されている。記憶装置２０は、統括コンピュータ１０についての外部記憶装置（たとえば、ディスクドライブ装置）であり、この実施例では、ケーブルによって統括コンピュータ１０に直接接続されている。後述するように、この記憶装置２０内には、台割表２１、進行情報２２、台割表骨格情報２１が記憶されることになる。
【００４２】
操作用コンピュータ３０は、この印刷会社の営業部に設置されるコンピュータであり、管理用コンピュータ４０は、この印刷会社の工場に設置されるコンピュータである。このため、操作用コンピュータ３０および管理用コンピュータ４０は、統括コンピュータ１０に対してイントラネット等の社内の通信回線を介して接続されている。もちろん、この図１に示す構成は一実施例として示したものであり、各コンピュータの設置場所や相互の接続方法は、設計上、適宜変更し得るものである。
【００４３】
一方、出版社用システム２００を構成する操作用コンピュータ５０は、出版社に設置されており、インターネット等の公衆通信回線を介して統括コンピュータ１０に接続されている。ここで、操作用コンピュータ３０，５０は、統括コンピュータ１０に対する遠隔端末装置としての機能を果たすことができればどのようなコンピュータで構成してもよく、たとえば、一般的なパーソナルコンピュータで構成することができる。もちろん、携帯型
のパーソナルコンピュータで構成してもかまわない。
【００４４】
このシステムの機能についての説明を行う前に、冊子体の例として以下雑誌の場合を用いて説明する。もちろん単行本等の他の冊子体の場合異なることは当然である。また、雑誌でも各種あるので、一般的な雑誌の構成を簡単に説明しておく。通常の雑誌は、頁ごとに様々な用紙が用いられており、色数や印刷方法なども頁ごとに様々である。このため、雑誌は、同じ用紙，同じ色数，同じ印刷方法で形成される折丁という単位部品を組み合わせることにより製造される。
【００４５】
たとえば、図２に示す雑誌は、５種類の折丁によって構成されている。ここで、表紙は４頁オフセット４色上質紙、広告は４頁オフセット４色コート紙、折丁１〜３は１６頁オフセット４色アート紙、折丁４は８頁活版１色ザラ紙、折丁５と折丁６は１６頁活版１色ザラ紙というように、折丁ごとに用紙の紙質が異なる。
【００４６】
この図２に示した雑誌は、いわゆる「中綴」と呼ばれる形態の構成であり、図に示されているように、表紙の右半分の向こう側が１頁目（Ｐ１）、手前側が２頁目（Ｐ２）、折丁２の右半分の向こう側が３頁目（Ｐ３）、手前側が４頁目（Ｐ４）、…、と続き、折丁５の一番手前の紙の右半分が４８頁目（Ｐ４８）となった後、左半分が４９頁目（Ｐ４９）となり、以下、表紙へ向かって頁数が更新し、表紙の左半分の手前側が９５頁目（Ｐ９５）、向こう側が９６頁目（Ｐ９６）となる。なお、いわゆる「平綴」と呼ばれる形態の構成はこれとは若干異なる。
【００４７】
さて、図１に示すシステムの記憶装置２０に用意される台割表２１は、図２に示すような雑誌の構成を示す情報（属性データ）と、各頁に掲載すべき記事の内容を示す情報を入れるべき空欄とを各折丁ごとに用意したものである。図３は、この台割表２１の構成例を示したものである。この例では、折丁１についての属性データおよび掲載内容データが用意されており、属性データは、タイトル、頁数、印刷方法、色数、用紙の５つの要素から構成されている。折丁２，３，…についても同様のデータが用意されることになる。
【００４８】
ここで、確定掲載内容データを、掲載順番に従って順に指定するとともに、割付先の折丁を指定する。確定掲載内容データは、図８に示す様な表形式のデータになっており、横幅はこの場合は２列で１頁に対応する様になっており、縦方向には数頁に相当する長いデータとなっており、元々１頁には収まらないデータとなっている。
【００４９】
また、このデータは階層形式になっており、行毎に各データが適宜大区分６１、中区分６２、小区分６３、細区分６４、・・・個別データ表示６５に分かれて、各々の個別データ表示６５に対して個別データ６６が表示されている。なお、これらのデータヘッド７１が各々定められている。
【００５０】
この最初のデータは、先ず折丁の最初の頁の左列から割付が開始されるが、まずヘッダが優先的に最初の割付を受けた上で、第１の大区分から第３の大区分までが１列目に入り、第４の大区分も含めると１列に入りきらないので、第３の大区分と第４の大区分の間に改行が入る様に自動割付される。
【００５１】
引き続いて、右列はヘッダなしに第４の大区分から割付られ、第６の大区分までがこの最初の頁に割り付けられこのまま操作者が確定すればこの頁の割付を終了する。次の頁の左列には、まずこのデータのヘッダの複製が表示され、これに引き続いて第７の大区分から最後まで割付が行われる。
【００５２】
次の頁の右列には、次の第２のデータがまた最初から割付が開始される。第２のデータ
はヘッダを含めて短いので、第３のデータのヘッダとデータも含めてその列に割付が行われる。次の頁には、第４のデータのヘッドから割付が開始され、図９の様に割付される。
【００５３】
この結果、３２頁分割付を終わり、まだ全てのデータの割付が終わらなかった場合は、自動的に次の３２頁の折丁が追加され、この折丁から割付が再開され、この操作は全てのデータの割付が終わるまで繰り返される。
【００５４】
次に、１頁に１列しか割付られないデータを割付する。例えば第１のデータと第２のデータとの間に幅広データを割付をそのまま行うと、追加したデータの上には左列に第７の大区分から最後までのデータ、右列は空欄という状態になるが、これではまずいので、第７の大区分と第８の大区分の間に改行を入れ、この頁の上部左列には第７の大区分を割付し、上部右列には第８の大区分以下を割付するとともに、中央部には追加したデータ、下部には第２のデータの割付を行う。
【００５５】
この場合、第２のデータは第２のデータの下だけの列では一列に全部を割付することが不可能なので、下部左列には第２のデータのうちヘッダと第１の大区分から第３の大区分まで、下部右列には第４の大区分以下が割付が行われる様に割付が図１０の様に変更される。これを、全ての確定掲載内容データが割付られるまで繰り返し、必要に応じて折丁の追加がなされる。
【００５６】
ここまでは自動で行われるわけであるが、この自動割付機能による台割表を確認するために、自動割付後の台割表と、組版情報を表示するとともに、必要に応じて印刷する。
【００５７】
この出力結果を見て操作者が修正を適宜行う。例えば、第１のデータの第３の大区分と第４の大区分の間で改行となっているものを、第４の大区分の内第１の中区分まで第１列に含めるように、改行を第４の大区分中の第１の中区分と第２の中区分との間に修正することが可能になっている。
【００５８】
この結果、右列はヘッダなしに第４の大区分の第２の中区分から割付られ、第５の大区分までがこの最初の頁に割り付けられ、以下順に改行位置が自動的に変更され、図１１の様に変更される。このまま操作者が確定すればこの頁の割付を終了する。なお、この改行位置の変更はこの頁だけでなく、次の頁以下にも影響を与え、自動で割付が変更されるのが普通である。
【００５９】
この様にして先頭から最後まで修正を行えば一通りの割付調整が終了することとなるが、商業紙などではこの確認から修正の作業を複数回繰り返すのが通例である。
【００６０】
ちなみに、ここでは説明上省略したが、データはデータ本体と注釈からなることが少なくない。データ本体が表の場合であれば、この様な注釈はデータの最後に付随しているのが通常であるが、この様な注釈はデータ本体となるべく連続して割付を行うのが通例であり、やむなく注釈のみを分割する場合でも、その注釈単位では一括して割付が行われるのが望ましいこと、さらに注釈１、２・・等の複数の個別注釈からなる場合は、個別注釈単位での分割が望ましいことなどから、大区分などの一種として認識させることにより、上記例と同様に取り扱うことが可能になる。
【００６１】
さらに加えて、割付上どうしても大きな空白が生じてしまう場合には、その空白の大きさに応じて自動的に穴埋記事、コラム、囲み記事、豆知識などを割付する様な機能を付随させても構わない。
【００６２】
次に、確定掲載内容データ以外の部分の台割表を作成する。具体的には従来と同様の作
業となるが、図２に示すような雑誌の構成を示す情報（属性データ）と、確定掲内容データ以外の各頁に掲載すべき記事の内容を示す情報（掲載内容）と、を各折丁ごとに用意したものとし、この台割表に応じて掲載内容を確定していく。この際、編集上確定掲載内容データの位置を修正したい場合がでてくるが、この確定掲載内容データの増減は出来ないので、移動のみが許される。
【００６３】
なお、頁単位での移動の場合は改行位置の変更が必要ではないので、修正は不用である。
【００６４】
図３は、この様な作業の結果作成された台割表２１の構成例を示したものである。この例では、折丁１についての属性データおよび掲載内容データが用意されており、属性データは、タイトル、頁数、印刷方法、色数、用紙の５つの要素から構成されている。折丁２，３，…についても同様のデータが用意されることになる。
【００６５】
この様な台割表は、図１に示すシステムの記憶装置２０を用いて進行管理などに利用される。この場合の進行情報２２の一例を、図４に示す。ここには、（１）〜（８）の８種類の進行状態が示されているが、進行情報２２とは、特定の頁あるいは特定の折丁についての製造工程が、この８種類の進行状態のどれに該当するかを示す情報である。通常、この８種類の進行状態は、原則として（１）〜（８）の順に遷移する。以下、印刷会社の営業担当者の立場に立って、一般的な製造工程の進行状態を説明する。まず、初期状態である「（１）未入稿」は、確定掲載内容データ以外の部分が出版社から原稿を受領していない状態を示すものである。担当者が出版社から確定掲載内容データ以外の部分の原稿を受け取ると、「（２）入稿済」の状態になる。担当者は、この原稿を工場へ渡し、校正刷が出来上がった段階で、出版社へ校正刷を送付して校正してもらう。「（３）出校中」はこのような状態である。出版社から校正原稿が送付されてくると、「（４）再入稿」の状態となり、担当者は校正原稿を再び工場へ渡し、再度校正刷を用意する。この再度の校正刷を出版社に送付すると、この実施例では、「（３）出校中」の状態に戻ることになる。もちろん、「再校正」などの別な状態を定義してもかまわない。こうして、出版社における校正が必要ない段階になると、「（５）校了」の状態になる。工場では、最終的な校正原稿に基づいて版を作成する工程が行われる。こうして版が完了した状態が、「（６）版完了」の状態である。以上の（１）〜（６）の状態は、いずれも頁単位で定義することができる状態である。続いて、１つの折丁を構成するすべての頁の版が作成できると、「（７）折丁完了」の状態となり、この折丁に関しては印刷作業を開始することができるようになる。こうして、１つの折丁についての印刷が完了すると、「（８）印刷済」の状態になる。このように、（７），（８）の状態は、折丁単位で定義される状態である。
【００６６】
次に、図１に示すシステムの記憶装置２０に用意される台割表骨格情報２３の一例を図５に示す。この台割表骨格情報２３は、特定の雑誌を構成するための折丁の属性を示す属性データをもった情報であり、この情報に基づいて、図５に示すような台割表が作成できる。この表は、図２に示す雑誌に対応したものであり、属性表示欄とその両脇に配された掲載内容表示欄とによって構成され、全部で５行からなる表である。この表の１行が、図２に示す雑誌の１つの折丁に対応しており、掲載内容表示欄の１つのますが、１頁に対応している。各ますの上部に記された数字は頁数を示している。図２に示すような「中綴」の雑誌については、このように、属性表示欄を中央に配置し、その両脇に掲載内容表示欄を配置するパターンにすると、掲載内容表示欄の各ますの割振りを実際の雑誌の頁の割振りと対応づけることができ便利である。各属性表示欄には、それぞれの折丁の属性データのうち、タイトル，印刷方法，色数，用紙が示されており、各折丁の頁数については、掲載内容表示欄のますの数として示されている。図５を図２と比較すれば、両者の対応関係が理解できよう。
【００６７】
一般に、雑誌は週刊、月刊、など定期的に発行され、号数によって掲載記事自体はそれぞれ異なるものの、雑誌全体としての体裁は一定していることが多い。たとえば、図２に示す雑誌では、いずれの号も、全部で５種類の折丁から構成され、各折丁の属性も毎号同じにするのが一般的である。そこで、この雑誌については、予め図５に示すような台割表骨格情報２３を作成し、記憶装置２０内にデータとして用意しておくようにすれば、毎号これを流用して、後述する台割表や台割進行表を作成することができるようになるので便利である。
【００６８】
以上、図１に示すシステムの記憶装置２０内に用意される各情報についての説明を行ったが、続いて、このシステムを構成する各コンピュータの機能について説明する。統括コンピュータ１０は、このシステム全体を統括管理する機能を有するとともに、台割表を作成する機能を有する。台割表は、記憶装置２０内の台割表２１に基づいて、各折丁ごとに属性および各頁の掲載内容を表の形式で表現したものであり、たとえば、図６に示すような表である。
【００６９】
台割表２１は、図３に示すように、各折丁ごとの属性データと掲載内容データとによって構成される情報であり、これらの情報に基づいて、図６に示すような表を作成することができる。この表は、図５に示す台割表骨格情報２３を流用して作成したものであり、１行が１折丁に対応している。また、掲載内容表示欄の各ます内には、各頁に掲載すべき記事や広告などの内容を示す情報が簡潔に記述されている。なお、数頁にわたるような記事については、図に矢印区間で示すような記述をすると便利である。
【００７０】
一方、台割進行表は、この台割表に更に進行情報２２を付加することによって得られる表であり、台割表の各部の表示態様を変えて頁単位または折丁単位での進行状況を視覚的に確認できる形式で表現したものである。図６に示す台割表に基づいて作成された台割進行表を図７に示す。図６の台割表との相違点は、特定の欄の表示態様が異なっている点である。図ではハッチング模様を変えることにより、表示態様を変えているが、実際には、この台割進行表はディスプレイの画面上に表示させるのが一般的であるため、ハッチング模様を変える方法の代わりに、色を変えて表示する方法や、表示輝度を変える方法によって表示態様を変えることも可能である。
続いて、図１のシステムにおける操作用コンピュータ３０，５０の機能について説明する。この実施例では、これらのコンピュータとして、いずれも全く同じ機能をもったパーソナルコンピュータを用いている。このパーソナルコンピュータの第１の機能は、記憶装置２０に対して、台割表２１やその他の情報、例えば進行情報２２、台割表骨格情報２３などを入力したり、あるいはこれを修正したりする入力手段としての機能であり、第２の機能は、統括コンピュータ１０によって作成された台割表などをディスプレイ画面上に表示したり、プリンタによって紙面上に出力したりする出力手段としての機能である。もっとも、これらのコンピュータに上述のすべての機能が必ず要求されるわけではない。たとえば、出版社に設置される操作用コンピュータ５０については、少なくとも台割表２１を入力する機能さえ備わっていればよいし、管理用コンピュータ４０には、少なくとも台割表２１の管理する機能さえ備わっていればよい。但し、出版社に設置される操作用コンピュータ５０については、確定掲載内容データ等の掲載内容を入力できるのが好ましい。
【００７１】
最後に、図１に示すシステムを用いた雑誌の製造工程の進行管理の場合の台割表２１が利用される例を、具体例に即して説明する。ここで予め図５に示すような台割表骨格情報２３を作成しておき、これを記憶装置２０内に保存しておくとよい。この作業は、たとえば、印刷会社の営業担当者が操作用コンピュータ３０から行えばよい。
【００７２】
このような台割表骨格情報が用意されていると、出版社の編集者は、操作用コンピュータ５０を操作することにより、確定掲載内容データを送信する。送信を受けた統括コンピ
ュータ１０は、必要に応じて台割表を作成する動作を行い、それは記憶装置２０に記憶される。
【００７３】
この状態の台割表２１をディスプレイ上に呼び出し、台割表を修正する作業を容易に行うことができる。もちろん、台割表骨格情報２３を用いることなしに台割表を作成することも可能である。
【００７４】
前述のように、台割表の作成処理は、統括コンピュータ１０によって行われるが、そのためには、空の台割表２１もしくは台割表骨格情報２３を用意してやる必要がある。したがって、出版社の編集者は、まず、操作用コンピュータ５０から空の台割表２１もしくは台割表骨格情報２３の入力作業を行うことになる。もっとも、台割表の中の台割表骨格情報２１を流用するのであれば、台割表２１のうちの属性データは流用できるので、確定掲載内容データやその他の掲載内容のデータのみを入力すればよい。
【００７５】
さらに確定掲載内容データが割付られた後では、３〜５頁には「グルメ情報」なる記事を掲載予定であり、６〜７頁には「陶器」なる記事を掲載予定である、というような情報入力が行われる。
【００７６】
なお、最終的には作成された台割表に基づいて組版を行うわけであるが、確定掲載内容データの組版を行うに際して、この様なデータのうち複数の頁に分割して割付が行われた場合は、そのデータの切れ目に継続マークを切れ目の前と後の両方に自動的に付け加える。これは、開いたページからデータが継続するものである場合と、継続しない場合とを読者が判断できる様にするためである。
【００７７】
同様に複数の頁に分割して割付が行われた場合には、データヘッドも割付が行われた頁の数だけ割付が行われるわけであるが、二度目のデータヘッドには、継続頁のデータヘッドである旨をマークなどで表示する。なお、データが継続するものである場合の継続マークと継続頁のデータヘッドである旨をマークの片方だけで読者が継続頁である旨を理解できる場合は、その片方を省略することが可能である。
【００７８】
こうして、出版社の編集者が、操作用コンピュータ５０から台割表２１の入力作業を行えば、入力された台割表２１は、通信回線を介して統括コンピュータ１０へ転送され、記憶装置２０内に保存される。
【００７９】
そして、全ての掲載内容が確定した時点でなくとも統括コンピュータ１０は台割表を作成する処理を行うことができるので、編集者はディスプレイ上で図６に示すような台割表を確認することができ、必要があればこれを修正することもできる。なお、以上の作業を、編集者の代わりに印刷会社の営業担当者が行うことも可能である。すなわち、営業担当者は、操作用コンピュータ３０を操作して同様の作業を行えばよい。
【００８０】
さて、出版社において、特定の記事の原稿（文字原稿、写真、図版など）が集まると、この原稿が印刷会社に送付される。印刷会社の営業担当者は、特定の記事の原稿の送付を受けた時点で、操作用コンピュータ３０を操作し、その旨を示す進行情報２２の入力を行う。たとえば、「広告Ｂ，Ｃ」の原稿が入稿したら、折丁１の４７頁および４８頁が入稿済であることを示す進行情報２２の入力を行えばよい。この時点で、統括コンピュータ１０に台割進行表を作成させれば、この頁に対応するますが「（２）入稿済」の表示態様に変わっていることをディスプレイで確認することができる。なお、この実施例では、「（２）入稿済」という１つの状態しか定義していないが、「（２）−１：原稿発送済」と「（２）−２：原稿受領済」という２つの状態を定義しておき、出版社側が原稿を発送した時点で、編集者が操作用コンピュータ５０から「（２）−１：原稿発送済」なる進行情報
２２を入力し、印刷会社側が原稿を受領した時点で、営業担当者が操作用コンピュータ３０から「（２）−２：原稿受領済」なる進行情報２２を入力するようにすれば、２つの状態を区別することも可能である。
【００８１】
印刷会社の営業担当者は、受領した原稿を工場へもってゆき、校正刷ができるのを待つ。そして、校正刷が出来上がったら、これを出版社に送付するとともに、操作用コンピュータ３０から、その記事についての進行状態が「（３）出校中」に進展したことを示す進行情報２２の入力を行う。そして、校正刷に基づく再入稿があれば、その記事についての進行状態が「（４）再入稿」に進展したことを示す進行情報２２の入力を行い、校正が完了したのであれば、「（５）校了」に進展したことを示す進行情報２２の入力を行う。
【００８２】
「（５）校了」の状態になった記事についての原稿および校了紙（たとえば、出版社にて校正し、追加や訂正部分を朱記した校正刷）は、工場における製版工程へまわされる。ここで版が完了したら、「（６）版完了」に進展したことを示す進行情報２２の入力が行われる。この入力は、営業担当者が操作用コンピュータ３０から行ってもよいが、管理用コンピュータ４０から自動的に入力するようにしてもよい。前述のように、管理用コンピュータ４０は、工場における工程管理機能を有している場合は、このような自動入力も可能である。同様に、折丁単位ごとの「（７）折丁完了」や「（８）印刷済」の状態に進展したことを示す進行情報２２の入力も、営業担当者が操作用コンピュータ３０から行ってもよいし、管理用コンピュータ４０から自動的に入力するようにしてもよい。
【００８３】
このようなシステムでは、各コンピュータのディスプレイ上に図７に示すような台割進行表をいつでも表示させることが可能になり、常にその時点における進行状態を視覚的に容易に確認することができるようになる。また、各記事ごとに、出版社と印刷会社との間の原稿のやりとりに関する履歴がデータとして保存されることになり、原稿送受の履歴管理を容易に行うことができる。
【産業上の利用可能性】
【００８４】
本発明は、例えば本、書籍、雑誌、パンフレット、カタログ、小冊子体など各種冊子体の各折丁ごとに各頁の掲載内容の表示をした表である台割表を作成する台割表作成システムに関する。
【図面の簡単な説明】
【００８５】
【図１】本発明の一実施例に係る雑誌の台割表作成システムの基本構成を示すブロック図である。
【図２】一般的な「中綴」の形態をもった雑誌の構成を示す図である。
【図３】図１のシステムにおける記憶装置内に保存された台割表の一例を示す図である。
【図４】図１のシステムにおける記憶装置内に保存された図３の台割表に関する進行情報の一例を示す図である。
【図５】図１のシステムにおける記憶装置内に保存された図３の台割表に関する台割表骨格情報の一例を示す図である。
【図６】図１のシステムによって割付が行われる前の図３とは異なる台割表の一例を示す図である。
【図７】図１のシステムによって割付が行われた台割表を用いて進行状況の把握に利用した一例を示す図である。
【図８】図１のシステムによって割付が行われる確定掲載内容データの一例を示す図である。
【図９】図１のシステムによって図８のデータの割付が行われた状態の一例を示す図である。
【図１０】図１のシステムによって図８のデータおよび横長の表の割付が行われた状態の一例を示す図である。
【図１１】図１のシステムによって図８のデータおよび横長の表の割付が行われた状態の図１０をさらに修正した場合の一例を示す図である。
【符号の説明】
【００８６】
１０…統括コンピュータ
２０…記憶装置
２１…台割表
２２…進行情報
２３…台割表骨格情報
３０…操作用コンピュータ
４０…工程管理用コンピュータ
５０…操作用コンピュータ
６１…大区分
６２…中区分
６３…小区分
６４…細区分
７１…データヘッド
【図１】
2005339096.tif 000003
【図２】
2005339096.tif 000004
【図３】
2005339096.tif 000005
【図４】
2005339096.tif 000006
【図５】
2005339096.tif 000007
【図６】
2005339096.tif 000008
【図７】
2005339096.tif 000009
【図８】
2005339096.tif 000010
【図９】
2005339096.tif 000011
【図１０】
2005339096.tif 000012
【図１１】
2005339096.tif 000013